(57)【特許請求の範囲】
【請求項１】
フロア上に立設された遊技機島であって下部の腰板に遊技場のフロアを照明する照明装置が配設された照明装置付き遊技機島において、
前記照明装置は、
細長い発光部と、
前記発光部を収容しかつ前記発光部の長手方向と平行な板状の腕部が前記発光部の長手方向に沿って延設もしくは数箇所に配設された収納ケースと、
受け部材と、
を備え
前記受け部材は前記腰板の下部に取り付けられると共に、前記腰板の下部裏面側に、該腰板の長手方向に延びる上方に開口しかつ前記収納ケースの前記板状の腕部を前記開口から挿入して保持可能な隙間を形成し、
前記収納ケースの前記板状の腕部を前記隙間に挿入することにより、前記収納ケースおよびこれに収容された前記発光部が前記腰板の下部へ配設される
ことを特徴とする照明装置付き遊技機島。
【請求項２】
前記受け部材は、断面コの字状の細長い形状を成し、かつ前記コの字の対向する２辺の間隔は前記腰板の下端部の厚みより広くされており、前記コの字の中央の辺を前記腰板の下端面に当接させかつ前記対向する２辺の一方を前記腰板の前面に当接させて前記腰板に取り付けることで、前記対向する２辺の他方の辺と前記腰板の裏面との間に前記隙間が形成される
ことを特徴とする請求項１に記載の照明装置付き遊技機島。
【請求項３】
前記腰板の下端は前記遊技場のフロアから所定の高さに配置される
ことを特徴とする請求項１または２に記載の照明装置付き遊技機島。
【請求項４】
前記収納ケースは、板材を折り曲げることによって形成した
ことを特徴とする請求項１乃至３のいずれか１つに記載の照明装置付き遊技機島。
【発明の詳細な説明】
【技術分野】
【０００１】
本発明は、複数の遊技機が並設収容された遊技機島であって下部の腰板に遊技場のフロアを照明する照明装置が配設された照明装置付き遊技機島に関する。
【背景技術】
【０００２】
遊技場には、パチンコ機などの遊技機を複数並設収容した遊技機島がフロア上に通路を挟んで多数形成されており、遊技場内は天井照明のほか、遊技機島の上部幕板などに配設された装飾用の照明装置によって照明されているが、これらの照明装置では、遊技機島の下部付近まで光が届き難く、各遊技機の前の椅子に腰掛けて遊技を楽しむ遊技者の足元が暗く、たとえば、遊技球やカードなどを足元に落した場合に不便だった。また、遊技機島下部の内部構造を店員が保守・点検する際には懐中電灯などを要していた。
【０００３】
このような事情に鑑みて、特許文献１には、遊技機島の下部とフロアとの間に少なくとも遊技者の足先を挿入するのに十分な間隙を形成し、該隙間を照らす照明装置を遊技機島の下部に設置した遊技機島が提案されている。
【０００４】
また、特許文献２には、遊技機島下部の腰板前面に有機ＥＬ素子を用いた発光パネルを配設すると共にその点灯を制御し、フロア近くの照明と装飾とを行なうようにしたパチンコ台照明構造が開示されている。
【０００５】
【特許文献１】特開２００５−３４２２７号公報
【特許文献２】登録実用新案第３００５６３０号公報
【発明の開示】
【発明が解決しようとする課題】
【０００６】
特許文献１に開示された遊技機島では、島下部の外装として取り付けられる腰板の下端とフロアとの間に足元スペースを確保すると共に、腰板の下部裏側に蛍光管のソケットを取り付けた後、該ソケットに蛍光管をセットし、さらに透明なカバー部材を装着するように足元用の照明装置を構成しているが、腰板の下部裏側は狭く作業者の手や工具が入り難いので、該照明装置の取り付けや蛍光灯の保守交換が容易でないという問題があった。
【０００７】
また、遊技機島下部の腰板の前面に有機ＥＬ素子を用いた発光パネルを配設する場合には、コストが嵩むだけでなく、腰板前面への発光パネルの取り付けにも手間がかかるという問題があった。
【０００８】
本発明は、上記の問題を解決しようとするものであり、遊技機島下部への取り付けや保守交換が容易な照明装置を備えた照明装置付き遊技機島を提供することを目的とするものである。
【課題を解決するための手段】
【０００９】
上記の目的は以下に示す各項の発明により達成される。
【００１０】
請求項１に係わる発明は、フロア上に立設された遊技機島であって下部の腰板（３２）に遊技場のフロアを照明する照明装置（４０）が配設された照明装置付き遊技機島において、
前記照明装置（４０）は、
細長い発光部（４１）と、
前記発光部（４１）を収容しかつ前記発光部（４１）の長手方向と平行な板状の腕部（４２ｂ）が前記発光部（４１）の長手方向に沿って延設もしくは数箇所に配設された収納ケース（４２）と、
受け部材（４３）と、
を備え、
前記受け部材（４３）は前記腰板（３２）の下部に取り付けられると共に、前記腰板（３２）の下部裏面側に、該腰板（３２）の長手方向に延びる上方に開口しかつ前記収納ケース（４２）の前記板状の腕部（４２ｂ）を前記開口から挿入して保持可能な隙間（ｄ）を形成し、
前記収納ケース（４２）の前記板状の腕部（４２ｂ）を前記隙間（ｄ）に挿入することにより、前記収納ケースおよびこれに収容された前記発光部が前記腰板（３２）の下部へ配設される
ことを特徴とする照明装置付き遊技機島である。
【００１１】
上記発明によれば、細長い発光部（４１）を該発光部（４１）の長手方向と平行な板状の腕部（４２ｂ）を備えた収納ケース（４２）に収容すると共に、腰板（３２）の下部裏面側に、該腰板（３２）の長手方向に延びる上方に開口した僅かの隙間（ｄ）を形成する受け部材（４３）を取り付けておき、この隙間（ｄ）に収納ケース（４２）の腕部（４２ｂ）を挿入することにより、腰板（３２）の下部に発光部（４１）が取り付けられる。このように、受け部材（４３）が形成する隙間（ｄ）に対して収納ケース（４２）の腕部（４２ｂ）を抜き差しすることで腰板（３２）の下部への発光部（４１）の着脱ができ、取り付け作業や保守交換作業が容易になる。
【００１２】
請求項２に係わる発明は、前記受け部材（４３）は、断面コの字状の細長い形状を成し、かつ前記コの字の対向する２辺の間隔は前記腰板の下端部の厚みより広くされており、前記コの字の中央の辺を前記腰板の下端面に当接させかつ前記対向する２辺の一方を前記腰板の前面に当接させて前記腰板に取り付けることで、前記対向する２辺の他方の辺と前記腰板の裏面との間に前記隙間が形成される
ことを特徴とする請求項１に記載の照明装置付き遊技機島である。
【００１３】
上記発明によれば、断面コの字状の細長い形状を成した受け部材（４３）を腰板（３２）の下端面に取り付けることで、腰板（３２）の裏面と受け部材（４３）の一辺（４３ｃ）との間に腕部（４２ｂ）を挿入するための隙間（ｄ）が形成される。すなわち、受け部材（４３）を腰板（３２）の下端面に対して取り付ければ所望の隙間（ｄ）が形成されるので、手の届き難い腰板（３２）の裏側に取り付ける場合に比べて、受け部材（４３）の取り付け作業が容易になる。
【００１４】
請求項３に係わる発明は、前記腰板（３２）の下端は前記遊技場のフロアから所定の高さに配置される
ことを特徴とする請求項１または２に記載の照明装置付き遊技機島である。
【００１５】
上記発明によれば、照明装置（４０）を遊技場のフロアから所定の高さに配置された腰板（３２）の下端部に設けたので、遊技者の足元を照明することが可能になる。
【００１６】
請求項４に係わる発明は、前記収納ケース（４２）は、板材を折り曲げることによって形成した
ことを特徴とする請求項１乃至３のいずれか１つに記載の照明装置付き遊技機島である。
【００１７】
上記発明によれば、板材の折り曲げにより、腕部（４２ｂ）を備えた収納ケース（４２）を形成することができ、収納ケース（４２）の作成が容易になる。
【発明の効果】
【００１８】
本発明に係わる照明装置付き遊技機島によれば、発光部を収容した収納ケースの腕部を、受け部材によって腰板の下部裏面側に形成された隙間に抜き差しすることで、発光部を腰板の下部に着脱できるので、遊技機島の下部を照らす照明装置の取り付けや発光部の保守交換を容易に行なうことができる。
【発明を実施するための最良の形態】
【００１９】
以下、図面に基づき本発明の実施の形態を説明する。
【００２０】
図１は、本実施の形態に係わる照明装置付き遊技機島１０の内部構造を示している。遊技機島１０は、遊技機２を多数並設収容すると共に、遊技に供する遊技球を遊技機島１０の中で循環させて繰り返し使用するための各種付帯設備を収容している。遊技機２は、遊技機本体としてのパチンコ機２ａと遊技者に遊技球（パチンコ球）を貸し出す遊技球貸機２ｂとを一組にして併設したものである。
【００２１】
遊技機島１０は、遊技場のフロア上に島柱１１を適宜の間隔を空けて立設した後、横桟を配して島枠を枠組し、該島枠に遊技装置２や付帯設備を取り付けると共に、その他必要な箇所に幕板や腰板などの外装を施して構成される。遊技機島１０の内部中央には、遊技球を島の下部から上部へ研磨しながら揚送する揚送研磨機１２が立設されており、その上部には揚送研磨機１２が揚送した遊技球を貯留する上部貯留タンク１３が設置してある。
【００２２】
揚送研磨機１２の左右両側には、背中合わせにした状態で多数の遊技機２が並設されている。これらの上方には、上部貯留タンク１３から供給される遊技球を各遊技機２に補給搬送するベルトコンベア式の遊技球補給装置１４が、島の一端から他端まで水平に掛け渡すように設置されている。遊技球補給装置１４で搬送される遊技球は、搬送路の両縁部に沿って配設されたシュート１４ａに適宜取り込まれて整列された後、各遊技機２に補給される。
【００２３】
遊技機島１０の下部には、遊技球を貯留するための下部貯留タンク１５が島の長手方向に沿って複数設置されている。上部貯留タンク１３で余剰となった遊技球はオーバーフロー管２１を通じて排出されて下部貯留タンク１５に貯留される。また、遊技球補給装置１４の搬送路上で余剰となった遊技球は、オーバーフロー用のシュート１４ａからオーバーフロー管２２を通じて排出されて下部貯留タンク１５に貯留される。
【００２４】
各下部貯留タンク１５の底部は、左右両端から中央に向けて下り傾斜し、最下部には遊技球の排出口を開閉する開閉装置１６が設けてある。下部貯留タンク１５の下方には島端から揚送研磨機１２の下部にある球導入口１２ａに向けて遊技球を搬送する回収コンベア１８が設置されている。回収コンベア１８は、各遊技機２からアウト球として排出された遊技球の回収と、下部貯留タンク１５から排出された遊技球の回収とを行なう。なお、遊技機２からアウト球として排出された遊技球は、遊技機２の下方に下り勾配をつけて掛け渡されたアウト球樋１９で回収された後、隣接する下部貯留タンク１５同士の間に設けた通路装置２０を落下して回収コンベア１８上に放出されて揚送研磨機１２へ搬送される。
【００２５】
次に、遊技機島１０の下部構造について説明する。
【００２６】
図２は遊技機島１０の島端付近の一部を拡大示したものであり、図３は遊技機島１０の下部断面を示している。遊技機島１０の表裏には、遊技機２を載置するための天板３１が島の長手方向に沿って略水平に延設されている。各天板３１は、遊技機２の前面より、図示省略の玉箱などを載置可能な程度に遊技者側へ突出している。天板３１の下方において、遊技機島１０の下部表裏面には、島の外装を成すように腰板３２が取り付けてある。腰板３２は、遊技機２の前の椅子に腰掛けて遊技を楽しむ遊技者の膝が当たらない程度に天板３１の前縁から奥まった位置に取り付けてある。
【００２７】
腰板３２の下端は遊技場のフロア面より所定距離だけ上方に設定されており、腰板３２の下端とフロア面との間には遊技者が足先を挿入できる程度の下部空間Ｆｓが確保されている。
【００２８】
腰板３２は、下部貯留タンク１５の側壁を兼ねており、下部貯留タンク１５の底板１５ａは、腰板３２の下端より該腰板３２の高さの３分の１ほど上方に設けてある。下部貯留タンク１５の底板１５ａの中央には開閉装置１６がありその下方には回収コンベア１８が延設されている。底板１５ａより下方において腰板３２の裏面側には、開閉装置１６などとの間に空間Ｗｓが存在し、該空間Ｗｓを利用して、各腰板３２の下端近傍の裏面側に照明装置４０が取り付けてある。
【００２９】
腰板３２には、図４に示すように、遊技機２の２台分の横幅に相当する長さを備えた２台枠腰板３２ａと、これと同じ長さでさらに点検口３３を備えた２台枠腰板３２ｂと、遊技機２の１台分の横幅に相当する長さを備えかつ点検口３３を備えた１台枠腰板３２ｃとがある。遊技機島１０の下部外装はこれらを適宜組み合わせて形成される。照明装置４０は、腰板３２の左右両端の近傍を除くほぼ全長に及ぶ長さを備えており、２台枠腰板３２ａ、３２ｂに対応した長さのものと、１台枠腰板３２ｃに対応した長さのものとがある。
【００３０】
図５は、照明装置４０の斜視図を、図６は照明装置４０を腰板３２に取り付けた状態の側面を示している。照明装置４０は、断面長方形の細長い発光部４１と、発光部４１を全長にわたって収容する収納ケース４２と、腰板３２に直接に取り付けられる受け部材４３とから構成される。
【００３１】
発光部４１で使用する光源の種類は問わないが、たとえば、基板上に多数のＬＥＤ（Light Emitting Diode）を列設して構成される。
【００３２】
収納ケース４２は、板材を、発光部４１の下辺の略半分と残り３辺とを取り囲むように折り曲げて収容部４２ａを形成した後、そのまま板材を外方へ延長させて腕部４２ｂを形成した形状を成している。板材は、たとえば、ステンレススチールなどの金属板が使用される。
【００３３】
受け部材４３は、収納ケース４２とほぼ同じ長さを有し、短辺４３ａと底辺４３ｂと長辺４３ｃとからなる断面略コの字状を成している。長辺４３ｃは収納ケース４２の腕部４２ｂよりやや短く設定され、短辺４３ａと底辺４３ｂにはそれぞれ腰板３２へ取り付けるための取り付け穴４３ｄを配設してある。短辺４３ａと長辺４３ｃとの間隔は腰板３２の板厚よりやや広く設定してある。
【００３４】
受け部材４３は、図６に示すように、底辺４３ｂの内面を腰板３２の下端面に当接させ、かつ短辺４３ａの内面を腰板３２のおもて面に当接させた状態で腰板３２に螺子止めされる。このように取り付けると、腰板３２の裏面と長辺４３ｃの内面との間に僅かの隙間ｄが形成される。なお、受け部材４３の腰板３２への螺子止め作業は、腰板３２のおもて側と下端側とから行なえばよいので、腰板３２の裏側に蛍光灯のソケットなどを直接取り付ける場合に比べて、作業を容易に行なうことができる。
【００３５】
収納ケース４２は、腰板３２の裏面と受け部材４３の長辺４３ｃの内面との間に形成された隙間ｄに腕部４２ｂを差し込むことで、腰板３２の裏面下部に保持される。隙間ｄは、腕部４２ｂが丁度差し込み可能な程度の幅であることが望ましいが、ある程度の余裕を持たせてもかまわない。多少のガタツキがあっても収納ケース４２を腰板３２の下部に保持できればよい。
【００３６】
このように、受け部材４３によって腰板３２の下部裏面側に形成した隙間ｄに収納ケース４２の腕部４２ｂを抜き差しするだけで該収納ケース４２を腰板３２の下部裏面に着脱できるので、照明装置４０の取り付け作業や保守交換作業を容易に行なうことができる。
【００３７】
また発光部４１が発する光は、収納ケース４２で囲まれていない部分から下方へ照射され、遊技機島の下部空間Ｆｓおよびその周辺が照明される。これにより、各遊技機２に対応してフロア上に設置された腰掛に着座して遊技を楽しむ遊技者の足元が明るく照らされ、遊技球やカードなどを足元に落した場合にも発見しやすくなると共に、開閉装置１６や回収コンベア１８などを店員が保守・点検する際にも懐中電灯が不要になって作業性が向上する。また、発光部４１として多数のＬＥＤを用いることにより、遊技機の演出と連動した複雑な照明演出を行なうことも可能であり、遊技場内の照明効果を一層高めることができる。
【００３８】
以上、本発明の実施の形態を図面によって説明してきたが、具体的な構成は実施の形態に示したものに限られるものではなく、本発明の要旨を逸脱しない範囲における変更や追加があっても本発明に含まれる。
【００３９】
たとえば、収納ケース４２の収容部４２ａや腕部４２ｂは全長にわたって存在しなくてもよく、図７に示すように発光部４１の両端や途中の数箇所に帯状の保持部材４４を配設するように構成してもよい。
【００４０】
受け部材４３は、底辺４３ｂと長辺４３ｃとからなる断面Ｌ字状に構成してもよい。また、腰板３２の裏面を利用せずに、隙間の両壁面を受け部材自体で備えていてもよいし、必ずしも腰板３２の下端面に当接して取り付けるものでなくてもよい。要するに、受け部材４３は、腰板３２の下部裏面側に該腰板３２の長手方向に延びる上方に開口した僅かの隙間を形成すればよい。
【００４１】
なお、実施の形態では板材を折り曲げて収納ケース４２を形成したが、収納ケース４２の形成方法はこれに限定されず、樹脂成形などの方法で製造されてもよい。樹脂などで構成する場合には透明にするとより明るく照明することができる。また、発光部４１は、断面長方形のものに限定されず、腰板３２の下端縁に沿って配置可能な細長い形状であれば、断面は円形でもその他の形状でもかまわない。
【図面の簡単な説明】
【００４２】
【図１】本実施の形態に係わる照明装置を備えた遊技機島の内部構造を示す正面図である。
【図２】本実施の形態に係わる照明装置を備えた遊技機島の島端付近を拡大示した説明図である。
【図３】本実施の形態に係わる照明装置を備えた遊技機島の下部を示す断面図である。
【図４】本実施の形態に係わる照明装置が取り付けられる各種の腰板を示す正面図である。
【図５】本実施の形態に係わる組み付け前の照明装置を示す斜視図である。
【図６】照明装置を腰板の下端に取り付けた状態を拡大示した側面図である。
【図７】変形例に係わる収納ケースを示す斜視図である。
【符号の説明】
【００４３】
２…遊技機
２ａ…パチンコ機
２ｂ…遊技球貸機
１０…遊技機島
１０…遊技機島
１１…島柱
１２…揚送研磨機
１２ａ…球導入口
１３…上部貯留タンク
１４…遊技球補給装置
１４ａ…シュート
１５…下部貯留タンク
１５ａ…底板
１６…開閉装置
１８…回収コンベア
１９…アウト球樋
２０…通路装置
２１、２２…オーバーフロー管
３１…天板
３２…腰板
３２ａ…２台枠腰板
３２ｂ…２台枠腰板
３２ｃ…１台枠腰板
３３…点検口
４０…照明装置
４１…発光部
４１ｄ…取り付け穴
４２…収納ケース
４２ａ…収容部
４２ｂ…腕部
４３…受け部材
４３ａ…短辺
４３ｂ…底辺
４３ｃ…長辺
４３ｄ…取り付け穴
４４…帯状の保持部材
Ｆｓ…下部空間
Ｗｓ…空間
【図１】
0004414960.tif 000002
【図２】
0004414960.tif 000003
【図３】
0004414960.tif 000004
【図４】
0004414960.tif 000005
【図５】
0004414960.tif 000006
【図６】
0004414960.tif 000007
【図７】
0004414960.tif 000008